(57)【要約】本発明は老眼を補正するためのレンズを提供しており、この場合に、その近視野のセグメントは従来のコンタクト・レンズにおいてその近視野のセグメントが行なうよりも遠視野に対して少なくとも約５０％だけ影響が少ない。
2006516759.tif 000002
【特許請求の範囲】
【請求項１】
眼用レンズにおいて、交互の遠視野の光学的屈折力のセグメントおよび近視野の光学的屈折力のセグメントを有する一定の光学領域を備えており、この場合に、近視野の光学的屈折力のセグメントが非対称である眼用レンズ。
【請求項２】
前記レンズが一定のコンタクト・レンズである請求項１に記載のレンズ。
【請求項３】
前記光学領域がさらに中間の屈折力のセグメントを含み、この中間の屈折力のセグメントが非対称である請求項１に記載のレンズ。
【請求項４】
前記近視野および遠視野の光学的屈折力のセグメントが放射状のセグメントである請求項２に記載のコンタクト・レンズ。
【請求項５】
前記放射状のセグメントが実質的に三角形である請求項４に記載のコンタクト・レンズ。
【請求項６】
前記遠視野および近視野の光学的屈折力のセグメントが同心状の弓形である請求項２に記載のコンタクト・レンズ。
【請求項７】
さらに、遠視野の光学的屈折力のセグメントの数に実質的に等しい近視野の光学的屈折力のセグメントの数を有する請求項２に記載のコンタクト・レンズ。
【請求項８】
さらに、遠視野の光学的屈折力のセグメントの数よりも少ない近視野の光学的屈折力のセグメントの数を有する請求項２に記載のコンタクト・レンズ。
【請求項９】
前記光学領域がさらに一定の中央の遠視野の光学的屈折力の領域を含む請求項２に記載のコンタクト・レンズ。
【請求項１０】
前記光学領域がさらに一定の中央の近視野の光学的屈折力の領域を含む請求項２に記載のコンタクト・レンズ。
【請求項１１】
前記遠視野および近視野の光学的屈折力のセグメントが前記レンズの第１の表面上にあり、当該レンズの第２の表面がさらに一定のレンズ装着者の高度な収差に対する補正部分を含む請求項２に記載のコンタクト・レンズ。
【請求項１２】
前記遠視野および近視野の光学的屈折力のセグメントが前記レンズの第１の表面上にあり、当該レンズの第２の表面がさらに一定のレンズ装着者の角膜の形状の特徴に逆に対応する一定の形状の特徴を含む請求項２に記載のコンタクト・レンズ。
【請求項１３】
さらに、円柱屈折力を含む請求項２に記載のコンタクト・レンズ。
【発明の詳細な説明】
【発明の内容の開示】
【０００１】
発明の分野
本発明が眼用レンズに関連している。特に、本発明は２個以上の光学屈折力または焦点距離を使用していて、老眼の補正において有用なレンズを提供している。
【０００２】
発明の背景
個人の年齢と共に、目はその観察者に比較的に近い物体に焦点を合わせるためにその自然なレンズを適応または屈曲する能力が低下する。この状況は老眼または老視として知られている。同様に、自然なレンズが除去されて一定の眼内レンズがその代わりとして挿入されている人において、上記の適応能力は完全に失われている。
【０００３】
老眼を補正するために用いられている方法の中で単視野のシステムがあり、この場合に、一定の個人が遠視野用の１個のコンタクト・レンズおよび近視野用の１個のコンタクト・レンズに適合される。このような単視野のシステムはその装着者が遠視野および近視野の両方の物体を識別することを可能にするが、深さの知覚において相当な損失を生じると言う点において不都合である。
【０００４】
老眼の補正のための別の方法は遠視野および近視野の屈折力または遠視野、近視野および中間領域の屈折力を備えているコンタクト・レンズの使用である。これらのレンズは上記のような深さの知覚の損失を解消しており、一般的に遠視野および近視野の屈折力の交互の同心状のリングまたは交互の半径方向のセグメントを使用している。しかしながら、これらのレンズはこれらが装着者の網膜を２種類の画像に曝すと言う問題があり、一方はその焦点内にありもう一方はその焦点外にある。なお、これら２種類の画像は遠視野域において不都合にならず、この理由は、その近視野のセグメント内に見える焦点から外れた遠視野の物体が干渉しないからであるが、その近視野の解像度に影響を与える。さらに、この理由はその焦点から外れた遠視野の物体が近視野の画像に影響しない一定の方向にあるからである。
【０００５】
しかしながら、上記のようなレンズは遠視野において問題がある。すなわち、装着者がそのレンズを通して遠視野の物体を見る時に、近視野の画像が遠視野の画像の前にその焦点を通り抜けて現れる。この結果、その焦点から外れた近視野の画像は逆転して遠視野の物体の画像に対して干渉する。従って、これらの既知のレンズの不都合点を解消する多焦点型のレンズに対する要望が存在している。
【０００６】
発明の詳細な説明および好ましい実施形態
本発明は老眼を補正するための方法、当該補正のためのレンズ、および本発明のレンズを製造するための方法を提供している。本発明のレンズのそれぞれは遠視野および近視野の両方の補正を行なう。また、これらのレンズは従来の多焦点型のレンズに比較した場合に高められた遠視野の品質を提供しており、この理由は、その近視野の部分の遠視野に対する影響が従来のレンズにおけるよりも少ないからである。例えば、本発明のレンズにおいて、その近視野のセグメントは従来のレンズにおいてその近視野のセグメントが行なうよりも遠視野に対して少なくとも約５０％だけ影響が少ない。
【０００７】
一例の実施形態において、本発明は一定のレンズ装着者のための一定の眼用レンズを提供しており、このレンズは交互の遠視野の光学的屈折力のセグメントおよび近視野の光学的屈折力のセグメントを有する一定の光学領域を含むか、これにより実質的に構成されているか、これのみにより構成されており、この場合に、その近視野の光学屈折力のセグメントは非対称である。
【０００８】
上記の「非対称（形）（asymmetrical）」とは、レンズ表面の一定の近視野の光学的屈折力のセグメントにおける任意の第１の点が与えられる場合に、その第１の点からそのレンズの中心の回りに１８０度の一定の対応する位置であるその表面における任意の第２の点がその表面の一定の遠視野の光学的屈折力のセグメントにおける一定の点であることを意味する。さらに、本発明のレンズにおける近視野の光学的屈折力のセグメントは上記非対称の必要条件を満たす限りにおいて互いに任意の距離にすることができる。
【０００９】
また、上記の「眼用レンズ（ophthalmic lens）」とは、一定のコンタクト・レンズ、眼内レンズ、またはその類似物、またはこれらの種々の組み合わせ物を意味する。好ましくは、本発明のレンズはコンタクト・レンズである。また、「遠視野の光学的屈折力（distance optical power）」とは、装着者の遠視野域の視力の鋭さを所望の程度に補正するために必要とされる屈折力の量を意味する。また、「近視野の光学的屈折力（near optical power）」とは、装着者の近視野域の視力の鋭さを所望の程度に補正するために必要とされる屈折力の量を意味する。本発明のレンズはまた中間視野の屈折力、すなわち、近視野と遠視野の光学的屈折力の間の屈折力のセグメントを含むことも可能である。しかしながら、この中間視野の屈折力のセグメントを備える場合に、これらもまた、レンズ表面の一定の中間視野の光学的屈折力のセグメントにおける任意の第１の点が与えられる場合に、その第１の点からそのレンズの中心の回りに１８０度の一定の対応する位置であるその表面における任意の第２の点がその表面の一定の遠視野または近視野の光学的屈折力のセグメントにおける一定の点であると言う意味において、非対称であることが好ましい。
【００１０】
上記の遠視野および近視野の光学的屈折力のセグメントは任意の好都合な形状を有することができる。好ましくは、これらのセグメントは放射状のセグメントである。さらに好ましくは、これらの放射状のセグメントは形状において三角形である。また、任意の数の近視野および遠視野のセグメントが使用できる。しかしながら、好ましくは、近視野の光学的屈折力のセグメントの面積は一定の光学領域の中において遠視野の光学的なセグメントに対応する面積に等しいか少ない。
【００１１】
上記の近視野および遠視野の光学的屈折力のセグメントはレンズにおける後方の目の側の表面またはレンズにおける前方の凸状の表面部分のいずれにも存在できる。好ましくは、これらのセグメントは前方の表面部分にある。また、これらのセグメントは球面でも非球面でもよい。
【００１２】
図１において、本発明の一定の好ましいと考えられるレンズ１０が示されている。図示のように、このレンズ１０は光学領域１６、非光学的なレンズ領域１４およびレンズのエッジ部分１５を有している。この光学領域１６の中には、遠視野の光学的屈折力のセグメント１１に対して交互に近視野の光学的屈折力のセグメント１２が存在している。また、中央領域１３も一定の遠視野の光学的屈折力の領域である。しかしながら、上記の代わりに、中央領域１３を一定の近視野の光学的屈折力の領域にすることもできる。例えば、レンズがきき目に、すなわち、遠視野域に支配的に対して支配的である目に装着される場合に、その中央領域１３は一定の遠視野の光学的屈折力になる傾向が最も高い。
【００１３】
本発明のレンズは、望まれる場合に、目においてそのレンズを安定化するための一定の手段を含むことができる。多数の安定化の手段が当業界において知られており、本発明のレンズにおいて使用可能である。一般的に、これらの安定化手段は静的または動的な安定化として分類される。このような安定化手段の例は、限定を伴わずに、バラスト、プリズム・バラスト、厚い領域、薄い領域、１個以上のボス等のような、レンズ表面における隆起部、およびこれらの類似物および種々の組み合わせ物を含む。
【００１４】
図２において、本発明のレンズにおける光学領域の一定の代替的な実施形態である光学領域２０が示されている。この光学領域２０は遠視野の光学的屈折力のセグメント２１に対して交互に近視野の光学的屈折力のセグメント２２を有している。図示のように、これらの遠視野および近視野のセグメントは同心状の弓形である。また、これらの遠視野および近視野のセグメントはレンズの中心から半径方向に外側に移動するのに従って交互になっている。さらに、中央領域２７は０乃至１８０度の線の上方に遠視野の光学的屈折力の一定のセグメント２１を有していて、その線の下方に近視野の屈折力のセグメント２２を有している。さらに、遷移セグメント２３が備えられていて、近視野域２２の屈折力から遠視野域２１の屈折力に連続的に変化する屈折力を与えている。
【００１５】
本発明のさらに別の実施形態において、レンズの一方の表面が近視野および遠視野の屈折力のセグメントを伴う一定の多焦点型の表面を与えていて、そのレンズの他方の表面がそのレンズ装着者の高度の収差を補正している。また、別の実施形態において、レンズの前方の表面が多焦点型の表面であり、後方の表面が装着者の角膜の形状の特徴に一致していて、この後方の表面が装着者の角膜の形状の特徴に逆に対応している。このようなレンズ装着者の角膜の一定の逆の形状の高さのマップを含むレンズに対応して、その角膜の形状の特徴は一定の角膜トポグラファーの使用を含むがこれに限定されない任意の既知の方法により決定できる。また、ソフト・コンタクトの製造の場合に、その高さのデータが湾曲していない状態で一定のレンズ・モデルに供給される。次に、レンズが目の上に置かれた時のそのソフト・レンズの湾曲、または重なりを考慮に入れてデータが変形される。この結果、その角膜の高さおよび重なりの影響がその角膜の形状のデータを用いることにより解消される。その後、この湾曲状に変形されたデータは一定のＣＮＣ格子パタン上にマッピングされて、レンズまたは金型工具の表面を作成するために用いることができる。
【００１６】
さらに別の実施形態において、円柱屈折力を備えることができる。このような実施形態において、レンズの一方の表面は多焦点型の表面であり、その反対側の表面は一定の円環体の表面である。さらに別の実施形態として、円柱屈折力が遠視野および近視野の光学的屈折力のセグメントのいずれかまたはその両方と共に組み合わせることができる。
【００１７】
本発明において有用なコンタクト・レンズはハード・レンズ材料またはソフト・レンズ材料のいずれによっても作成可能であるが、本発明はソフト・コンタクト・レンズの設計および製造に適用される場合に特に有用性を提供することができる。従って、ソフト・コンタクト・レンズを製造するために適している任意の材料により作成されているレンズを使用することが好ましい。このようなコンタクト・レンズの形成のための例示的な材料は種々のシリコーン・エラストマー、それぞれの内容の全体が本明細書において参考文献として含まれる米国特許第５，３７１，１４７号、同第５，３１４，９６０号および同第５，０５７，５７８号において開示されている材料を含むがこれらに限定されないシリコーン含有マクロマー、ヒドロゲル、シリコーン含有ヒドロゲル、およびこれらの類似物および種々の組み合わせ物を含むがこれらに限定されない。さらに好ましくは、上記の表面は一定のシロキサンであるか、種々のポリジメチル・シロキサンのマクロマー、メタクリルオキシプロピル・ポリアルキル・シロキサン、およびこれらの混合物、シリコーン・ヒドロゲルまたはエタフィルコンＡ（etafilcon A）等のような一定のヒドロゲルを含むがこれらに限定されない。
【００１８】
一定の好ましいレンズ形成用の材料は一定のポリ２−ヒドロキシエチル・メタクリレート・ポリマーであり、約２５，０００乃至約８０，０００の一定のピーク分子量および約１．５以下乃至約３．５以下の一定の多分散度をそれぞれ有していて、少なくとも１個の架橋可能な官能基が共有結合している。なお、この材料は内容の全体が本明細書において参考文献として含まれる代理人整理番号ＶＴＮ５８８である米国特許出願第６０／３６３，６３０号において記載されている。さらに、種々の眼内レンズを形成するために適している材料はポリメチル・メタクリレート、ヒドロキシエチル・メタクリレート、不活性な透明プラスチック、シリコーン基材型のポリマー、およびこれらの類似物および種々の組み合わせ物を含むがこれらに限定されない。
【００１９】
上記のレンズ形成用の材料の硬化は熱、照射、化学的硬化、電磁放射線硬化およびこれらの類似手段および種々の組み合わせを含むがこれらに限定されない任意の既知の手段により行なうことができる。好ましくは、上記レンズは成形処理され、紫外光を用いるか可視光の全波長域を用いて行なわれる。さらに具体的に言えば、上記のレンズ材料を硬化するために適する正確な種々の条件はその選択される材料および形成するレンズにより決まる。また、コンタクト・レンズを含むがこれに限定されない種々の眼用レンズのための重合化の処理は周知である。例えば、適当な方法がその内容の全体が本明細書において参考文献として含まれる米国特許第５，５４０，４１０号において開示されている。
【００２０】
本発明のコンタクト・レンズは任意の従来の方法により形成できる。例えば、上記の光学領域は本発明のレンズを形成するために用いる金型に対してダイアモンドを回転するか当該金型をダイアモンドに対して回転する方式により製造できる。その後、一定の適当な樹脂をこれらの金型の間に配置してその樹脂を圧縮および硬化することにより本発明のレンズが形成できる。あるいは、上記の領域をダイアモンドに対して回転することにより種々のレンズ・ボタンを形成することも可能である。
【図面の簡単な説明】
【００２１】
【図１】本発明のレンズの一例の実施形態の平面図である。
【図２】本発明のレンズの別の実施形態の平面図である。
【符号の説明】
【００２２】
１０  レンズ
１１  遠視野光学屈折力セグメント
１２  近視野光学屈折力セグメント
１３  中央領域
１４  レンズ領域
１５  エッジ部分
１６  光学領域
２０  光学領域
２１  遠視野光学屈折力セグメント
２２  近視野光学屈折力セグメント
２３  遷移セグメント
２７  中央領域
【図１】
2006516759.tif 000003
【図２】
2006516759.tif 000004
【国際調査報告】
2006516759.tif 000005
2006516759.tif 000006
2006516759.tif 000007